(57)【要約】【課題】再生リストに従い画像や音声などの情報信号を再生する場合に、容易に再生手順を認識可能とする。【解決手段】再生装置は、記録媒体より複数の情報データを再生する再生手段と、それぞれ前記複数の情報データの再生手順を示す複数の再生リストに関する情報を表示装置に表示する表示制御手段とを備え、前記表示制御手段は前記複数の再生リストのうち、複数の再生経路を有する再生リストと複数の再生経路を持たない再生リストの情報とを識別可能な形態で同一画面上に表示する構成とした。【選択図】　　　図３
2004030792.tif 000002
【特許請求の範囲】
【請求項１】
記録媒体より複数の情報データを再生する再生手段と、
それぞれ前記複数の情報データの再生手順を示す複数の再生リストに関する情報を表示装置に表示する表示制御手段とを備え、前記表示制御手段は前記複数の再生リストのうち、複数の再生経路を有する再生リストと複数の再生経路を持たない再生リストの情報とを識別可能な形態で同一画面上に表示することを特徴とする再生装置。
【請求項２】
前記複数の再生リストより任意の再生リストを選択する選択手段と、前記選択された再生リストに基づいて前記再生手段の再生動作を制御する再生制御手段とを備えたことを特徴とする請求項１記載の再生装置。
【請求項３】
前記選択手段は更に、前記選択された再生リストが複数の再生経路を持つ場合、これら複数の再生経路から任意の再生経路を選択することを特徴とする請求項２記載の再生装置。
【請求項４】
前記選択された再生リストに従って前記再生手段の再生動作を制御する再生制御手段を備え、前記再生制御手段は前記選択手段により選択された再生経路にて再生するよう前記再生手段を制御することを特徴とする請求項３記載の再生装置。
【請求項５】
前記再生制御手段は更に、前記選択手段により選択された再生リストが複数の再生経路を持っており、且つ、前記選択手段により再生経路が選択されずに再生が指示された場合、所定の条件に従い再生経路を自動的に選択することを特徴とする請求項４記載の再生装置。
【請求項６】
前記再生制御手段は前記選択された再生リストに関する再生履歴に基づいて再生経路を自動的に選択することを特徴とする請求項５記載の再生装置。
【請求項７】
前記再生制御手段は前記選択された再生リストにおいて指定されている情報データの種類に応じて再生経路を自動的に選択することを特徴とする請求項５記載の再生装置。
【請求項８】
前記再生制御手段は特定の種類の情報データがより多く、または、より少なく再生されるよう再生経路を自動的に選択することを特徴とする請求項７記載の再生装置。
【請求項９】
前記情報データは、動画像データ、音声データ及び音声データを含むことを特徴とする請求項７記載の再生装置。
【請求項１０】
前記再生手段により再生された情報データを外部装置に出力して記録するダビングモードを有し、前記再生制御手段は前記選択手段により前記複数の再生経路を有する再生リストが選択された場合、前記ダビングモードにおける前記再生リストに従う情報データの再生を禁止することを特徴とする請求項２記載の再生装置。
【請求項１１】
前記表示制御手段は更に、前記複数の再生経路を有する再生リストについて再生経路の数を示す情報を表示することを特徴とする請求項１記載の再生装置。
【請求項１２】
前記表示制御手段は更に、前記複数の再生リストのうち、選択された再生リストの複数の再生経路を示す情報を互いに識別可能な形態で表示することを特徴とする請求項１記載の再生装置。
【請求項１３】
前記表示制御手段は前記複数の再生経路にて指定されている情報データの内容を前記再生手順に応じた位置に夫々表示することを特徴とする請求項１２記載の再生装置。
【請求項１４】
前記表示された複数の再生経路を示す情報を用いて、前記複数の再生経路から任意の再生経路を選択する選択手段と、前記選択された再生リストにおける再生経路に従い前記再生手段の再生動作を制御する再生制御手段とを備えたことを特徴とする請求項１２記載の再生装置。
【請求項１５】
前記再生手段は前記記録媒体より前記複数の再生リストを再生することを特徴とする請求項１記載の再生装置。
【請求項１６】
記録媒体より複数の情報データを再生する再生手段と、
複数の再生経路を有し前記複数の情報データの再生手順を示す再生リストに従って前記再生手段の再生動作を制御する再生制御手段と、
前記再生リストに従う再生動作の開始を指示する指示手段と、
前記指示手段による再生開始の指示の前に、前記複数の再生経路より任意の再生経路を予め選択する選択手段とを備え、
前記再生制御手段は前記選択手段による再生経路選択後、前記指示手段による再生開始の指示に応じて前記選択された再生経路に従い前記情報データを再生するよう前記再生手段を制御することを特徴とする再生装置。
【請求項１７】
前記再生リストが有する複数の再生経路に関する情報を互いに識別可能な状態で表示装置に表示する表示制御手段を備え、前記選択手段は前記表示装置に表示された情報を用いて再生経路を選択することを特徴とする請求項１６記載の再生装置。
【請求項１８】
前記再生手段により再生された情報データを外部装置に出力して記録するダビングモードを有し、前記再生制御手段は前記ダビングモードにおいて、前記選択手段により予め選択された再生経路に従い前記情報データを再生するよう前記再生手段を制御することを特徴とする請求項１６記載の再生装置。
【請求項１９】
前記再生制御手段は更に、前記再生リストに指定されている情報データの再生が不能である場合、前記選択された経路を他の経路に変更して再生するよう前記再生手段を制御することを特徴とする請求項１６記載の再生装置。
【請求項２０】
前記再生制御手段は更に、前記再生リストに指定されている情報データの再生が不能である場合、前記再生不能データをスキップするよう前記再生手段を制御することを特徴とする請求項１６記載の再生装置。
【請求項２１】
前記再生制御手段は更に、前記再生リストに指定されている情報データの再生が不能である場合、前記再生不能な情報データを他の情報データに置き換えて再生するよう前記再生手段を制御することを特徴とする請求項１６記載の再生装置。
【請求項２２】
記録媒体より複数の情報データを再生する再生手段と、
それぞれ前記複数の情報データの再生手順を示す複数の再生リストのうち選択された再生リストに従い前記再生手段の再生動作を制御する再生制御手段と、
前記複数の再生リストは複数の再生経路を有する再生リストと複数の再生経路を持たない再生リストとを含み、前記選択された再生リストが前記複数の再生経路を有する再生リストである場合に、前記再生リストに従う再生動作に応じて複数の再生経路を有する旨を示す情報を表示する表示手段とを備える再生装置。
【請求項２３】
前記情報データは画像データを含み、前記表示手段は前記再生手段により再生された画像データと前記複数の再生経路を有する旨を示す情報とを多重して表示することを特徴とする請求項２２記載の再生装置。
【請求項２４】
記録媒体より複数の情報データを再生する方法であって、それぞれ前記複数の情報データの再生手順を示す複数の再生リストに関する情報を表示装置に表示する表示制御処理を有し、前記複数の再生リストのうち、複数の再生経路を有する再生リストと複数の再生経路を持たない再生リストの情報とを識別可能な形態で同一画面上に表示することを特徴とする再生方法。
【請求項２５】
記録媒体より複数の情報データを再生する方法であって、複数の再生経路を有し前記複数の情報データの再生手順を示す再生リストに従って再生手段の再生動作を制御する再生制御処理と、
前記再生リストに従う再生動作の開始を指示する指示手段による再生開始の指示の前に、前記複数の再生経路より任意の再生経路を予め選択する選択処理とを有し、
前記再生制御処理は前記選択処理による再生経路選択後、前記指示手段による再生開始の指示に応じて前記選択された再生経路に従い前記情報データを再生するよう前記再生手段を制御することを特徴とする再生方法。
【請求項２６】
記録媒体より複数の情報データを再生する再生方法であって、
それぞれ前記複数の情報データの再生手順を示す複数の再生リストのうち選択された再生リストに従い前記再生手段の再生動作を制御する再生制御処理と、
前記複数の再生リストは複数の再生経路を有する再生リストと複数の再生経路を持たない再生リストとを含み、前記選択された再生リストが前記複数の再生経路を有する再生リストである場合に、前記再生リストに従う再生動作に応じて複数の再生経路を有する旨を示す情報を表示する表示処理とを有する再生方法。
【発明の詳細な説明】
【０００１】
【発明の属する技術分野】
本発明は再生装置に関し、特には情報信号の再生手順を示す再生リスト情報に従い情報信号を再生する装置に関する。
【０００２】
【従来の技術】
従来、カメラ一体型ＶＴＲにおいてテープに記録された画像信号を再生する場合、テープに記録された動画像や静止画信号を記録した順に順次再生している。
また、業務用のＶＴＲなどでは、記録シーン番号と、そのシーンの記録位置を用いてプログラム再生を実現しているものもある。
【０００３】
一方、ビデオＣＤやＤＶＤなどディスク媒体を用いた再生専用の映像ソフトでは、インタラクティブソフトというアプリケーションがある。インタラクティブソフトとは、複数の動画情報と再生手順（プログラム）を予め光ディスクに格納しておき、この再生プログラムに従って所定の再生位置でユーザの分岐選択指示を待ち、ユーザ指示に従って再生経路を選択再生するものである。インタラクティブソフトの具体例としては、操作者の選択結果によりストーリ進行が変化するマルチストーリドラマなどがある。ただし、再生位置、選択経路等は、予め鑑賞用としてプログラムされている。
【０００４】
近年、記憶媒体にディスク媒体を用いたビデオカメラが製品化され始めた。ディスク媒体を使用したビデオカメラでは、撮影した各シーンのデータをファイルとして記録媒体に保存するため、再生時、各シーンのアクセスが容易かつ高速になる。また、記録情報のアクセス速度が速くなれば、記録再生動作及び複数の記録情報の再生が同時に処理できる可能性があることなどが特徴である。
【０００５】
このような機器では、ユーザが記録された各シーンを自由にプログラムしても、そのプログラムをシームレスに再生することが可能となる。プログラム内容も複数の再生経路、任意の再生区間、多彩な再生エフェクト機能、任意の位置、区間でのリンク機能等、複雑なプログラムが再生可能となる期待がある。
【０００６】
【発明が解決しようとする課題】
前述のような光ディスクを用いたビデオＣＤやＤＶＤなどの再生専用映像ソフトにおいては、再生位置や選択経路情報等は予めプログラムとして光ディスク内に記録されて頒布される。そのため、プログラム作成に費やす時間も十分にあり、専用の機材も使用することができる。また、鑑賞されることを前提としているため、最適にプログラムすることが可能である。また、マルチストーリーやインタラクティブ再生は、ユーザとって予期せぬコンテンツを作成することが重要となる。例えば、コンテンツ再生以前に再生リストを提示することは、鑑賞前にコンテンツ全体を鑑賞者に把握できてしまう等、鑑賞者の興味を損ねてしまうことになる。そのため、このようなマルチストーリーの再生プログラムを表示、あるいはユーザにより記録編集する手法が存在していなかった。
【０００７】
一方、ディスク媒体を用いたビデオカメラでは、ユーザが記録された各シーンを自由にプログラムすることが可能となり、プログラム内容も複数の再生経路、任意の再生区間、多彩な再生エフェクト機能、任意の位置、区間でのリンク機能等、複雑なプログラムを作成することが実現可能である。
【０００８】
しかし、複雑なプログラムを作成すると、プログラム作成時点では鑑賞時に最適なプログラムがされているか疑問となる。鑑賞者が撮影者本人であれば意図したプログラムの把握が容易ではあるが、それ以外の場合、最適なプログラムであるとは限らない。よって、鑑賞時に何かしらの工夫が必要となる。
【０００９】
また、この様に複雑にプログラムされた再生リストに従い再生された画像信号をダビングする場合、ユーザの希望するコンテンツが再生するとは限らない。また、期待した再生経路で再生が行われるかわからない。更に、再生されたコンテンツに不具合が生じている場合、再生を停止してしまう可能性が生じてくる。そのため、ダビング再生中、機器から離れることはできなくなる等、大変不便なものになってしまう。
【００１０】
本発明はこの様な問題点を解決することを目的とする。
【００１１】
本発明の他の目的は、再生リストに従い画像や音声などの情報信号を再生する場合に、容易に再生手順を認識可能とする処にある。
【００１２】
本発明の更に他の目的は、再生リストにより複数の再生経路が設定されている場合であっても最適な再生経路を選択可能とする処にある。
【００１３】
【課題を解決するための手段】
前記目的を達成するため、本発明によれば、記録媒体より複数の情報データを再生する再生手段と、それぞれ前記複数の情報データの再生手順を示す複数の再生リストに関する情報を表示装置に表示する表示制御手段とを備え、前記表示制御手段は前記複数の再生リストのうち、複数の再生経路を有する再生リストと複数の再生経路を持たない再生リストの情報とを識別可能な形態で同一画面上に表示する装置が提示される。
【００１４】
【発明の実施の形態】
本発明の実施形態について、図面を用いて詳細に説明する。
【００１５】
図１は本発明が適用されるビデオカメラ１００の構成を示す図である。図１のビデオカメラ１００は記録媒体としてＤＶＤ−ＲＡＭなどのディスク媒体を用い、また、再生リストに基づく再生処理や再生リストの編集処理機能を持つ。
【００１６】
まず、図１のビデオカメラ１００による記録処理について説明する。
【００１７】
撮像部１０１により得られた動画像信号はバス１１４を介して画像信号処理部１０２及び表示制御部１０８に出力される。画像信号処理部１０２はＭＰＥＧなど周知の圧縮符号化方法により撮像部１０１からの動画像信号を符号化し、バス１１４を介してディスクＩ／Ｆ１０５に出力する。また、表示制御部１０８はＣＰＵ１１０からの指示に従い、記録モードにおいては撮像部１０１からの動画像信号に係る動画像を表示部１０９に表示する。
【００１８】
一方、マイク１０３により得られた音声信号はバス１１４を介して音声信号処理部１０４に出力される。音声信号処理部１０４は周知の圧縮符号化方法により音声信号を符号化し、バス１１４を介してディスクＩ／Ｆ１０５に出力する。
【００１９】
ＣＰＵ１１０は操作キー１１１からの記録開始指示があるとディスクＩ／Ｆ１０５に対して記録フォーマットにて規定された制御データを出力すると共に、前述の様に符号化された画像信号と音声信号とを記録開始するよう制御信号を出力する。なお、このときＣＰＵ１１０よりディスクＩ／Ｆに出力される制御データは、ビデオカメラ自体の情報、画像信号や音声信号の画質や音質などの設定情報、撮影環境に係る付加情報などを含む。また、ＣＰＵ１１０は記録開始の指示に応じて記録中の動画像データから１フレームの画像信号を抽出し、そのサイズを縮小したサムネイル画像を生成するよう画像信号処理部１０２を制御し、このサムネイル画像データもディスクＩ／Ｆ１０５に出力する。
【００２０】
ディスクＩ／Ｆ１０５は周知の光ピックアップや磁気ヘッド、及びメカニズムなどを有し、これら画像信号、音声信号及び制御データを一つのファイルとして、ＵＤＦ、ＦＡＴなどのファイルシステム管理の下でディスクＤに記録する。ファイルシステムとはファイルの管理を行うための管理情報とファイルデータからなる構造体形を意味しており、このファイルシステムを共通化することにより、異なった記憶媒体、あるいは記録再生機器においても情報を記録再生できる。
【００２１】
本形態では記録媒体としてディスクＤを用いており、このディスクＤの所定領域、例えば最内周の所定の管理領域にファイルシステムにおける管理情報を記録する。また、ディスクＩ／Ｆ１０５はこの管理領域に管理情報のほか、ディスクＩＤ、各ファイルの属性、ファイルデータの記録位置（セクタあるいはトラック）、各ファイルのサムネイル画像データ、各ファイルのグループ管理データ、撮影時の付加情報などを記録する。また、画像データや音声データのファイルはこの管理領域以外の領域に記録する。
【００２２】
記録開始後、操作キー１１１より記録停止の指示があると、ＣＰＵ１１０はディスクＩ／Ｆ１０５に対して記録を停止するよう指示する。ディスクＩ／Ｆ１０５は記録停止の指示に従い画像信号や音声信号の記録を停止し、記録開始から記録停止までの間にディスクＤに記録した各データを一つのファイルとする。
【００２３】
なお、記録モードにおいては、撮像部１０１からの画像信号あるいは画像信号処理部１０２により符号化された画像信号をバス１１４を介して外部Ｉ／Ｆ１１３に出力し、この外部Ｉ／Ｆ１１３により外部機器に対して出力することも可能である。
【００２４】
次に、静止画記録モードについて説明する。静止画撮影モードにおいても、撮像部１０１により得られた動画像信号に係る画像が表示制御部１０８により表示部１０９に表示されている。この状態で操作キー１１１より静止画記録の指示があると、ＣＰＵ１１０は撮像部１０１からの動画像信号より１フレームの画像信号を抽出し、画像信号処理部１０２に出力する。画像信号処理部１０２はこの１フレームの画像信号をＪＰＥＧなどの周知の圧縮符号化方法により符号化し、静止画像データとしてバス１１４を介してディスクＩ／Ｆ１０５に出力する。また、ＣＰＵ１１０はこの静止画像データのサイズを縮小したサムネイル画像データを生成するよう画像信号処理部１０２を制御し、画像信号処理部１０２により生成されたサムネイル画像データをディスクＩ／Ｆ１０５に出力する。
【００２５】
ディスクＩ／Ｆ１０５はこの１フレームの符号化された静止画像信号とＣＰＵ１１０からの制御データとを一つのファイルとしてディスクＤに記録すると共に、動画記録モードと同様、管理情報をディスクＤの所定領域に記録する。
【００２６】
次に、この様に記録された動画像ファイルや静止画ファイルの通常の再生動作について説明する。
【００２７】
操作キー１１１により再生モードの指示があると、ＣＰＵ１１０はディスクＤから管理情報を再生するようディスクＩ／Ｆ１０５を制御する。ディスクＩ／Ｆ１０５はディスクＤより管理情報を再生し、ＣＰＵ１１０に出力する。ＣＰＵ１１０はこの管理情報をメモリ１１２に記憶し、この管理情報より各ファイルのサムネイル画像データを検出して画像信号処理部１０２に出力する。そして、画像信号処理部１０２によりこのサムネイル画像データをデコードし、表示制御部１０８に送る。
【００２８】
そして、ＣＰＵ１１０は表示制御部１０８を制御して、複数のサムネイル画像を同一画面に表示する。
【００２９】
ユーザは操作キー１１１を操作して表示部１０９に表示された複数のサムネイル画像から再生を希望するファイルのサムネイル画像を選択し、再生を指示する。そして、ＣＰＵ１１０は指定されたサムネイル画像に対応したファイルをディスクＤより再生し、画像信号処理部１０３によりデコードして表示制御部１０８により表示部１０９に表示する。
【００３０】
次に、再生リストファイルによる再生動作を制御する。
【００３１】
再生リストファイルはディスクＤに記録された画像、音声などの情報ファイルの再生手順を指定したリストファイル（バイナリファイルでも実現可能である）であり、任意の再生経路、任意の再生区間、多彩な再生エフェクト機能、任意の位置や区間でのリンク機能等を記述している。
【００３２】
図２に再生リストファイルの一例を示す。
【００３３】
図２の例では、１行目は＜Ｐｌａｙ＞から１４行目の＜ＰｌａｙＥｎｄ＞タグまで再生動作を指示することを表し、２行目は動画０１ファイルを先頭から５秒後の位置から２００秒間通常再生し、１０行目のラベル＜Ｌａｖｅｌ１＞に移行することを表している。３行目は動画０１ファイルの再生中にユーザ操作により＜Ａｃｔｉｏｎ＞タグから＜Ａｃｔｉｏｎ終了＞タグまでの４行目の＜１＞、５行目の＜２＞、７行目の＜３＞のいずれかに分岐することを表している。
【００３４】
４行目の＜１＞では動画０２ファイルを全て再生して１２行目の＜Ｌａｖｅｌ２＞に移行する。５行目の＜２＞では静止画０３ファイルを５秒間再生して、次に動画０７ファイルを１０秒再生して１２行目の＜Ｌｅｖｅｌ２＞に移行する。７行目の＜３＞では動画０７ファイルを全て再生し、次に動画０８ファイルを全て再生して１２行目の＜Ｌａｖｅｌ２＞に移行する。
【００３５】
１１行目は静止画０１ファイルを１５秒再生することを表し、１３行目は動画１０ファイルを全て再生することを表している。そして、１４行目で全ての再生処理を終了する。
【００３６】
なお、図２の例では記載していないが、再生リストファイルには画角やサイズ、レイヤ、エフェクト、シーンチェンジ効果、オーバーラップ効果、画像、音声、テキストなどの組み合わせ再生なども記述できる。
【００３７】
本形態のビデオカメラ１００では簡単な再生リストを生成可能な機能を持っており、ユーザは再生リスト編集モードにてディスクＤに記録されたファイルに対する再生順序や特殊効果などを指定して再生リストを生成することができる。生成された再生リストはＣＯＵ１１０よりディスクＩ／Ｆ１０５送られ、ディスクＤに記録される。
【００３８】
また、後述のようなより複雑な再生リストはパソコンなど他の機器により生成可能であり、この様に生成された再生リストは外部Ｉ／Ｆ１１３を介してディスクＩ／Ｆ１０５に送られ、ディスクＤに記録される。
【００３９】
さて、複数の再生リストがディスクＤに記録されている状態で、ユーザによりプレイリスト再生の指示があると、ＣＰＵ１１０はディスクＩ／Ｆ１０５を制御してディスクＤより再生リストファイルに関する管理情報を再生してメモリ１１２に記憶する。そして、表示制御部１０８を制御してディスクＤに記録されている再生リストファイルの一覧画面を表示部１０９に表示する。
【００４０】
図３は再生リストの一覧画面３００を示す図である。図３において、３０１は再生リストが一覧画面に全て表示しきれない場合に画面の位置を示すためのスライダーバー、３０２は再生リストの内容を示す情報であり、図３では再生リストの名称とその作成日を表示している。情報３０２として、この他に再生リストにて指定された入り情報ファイルの合計再生時間、再生リストの属性、サブタイトル、コメント、作成者の情報や、各再生リストファイルの代表画像を表示することも可能である。３０３は現在選択されている再生リストを示す情報であり、５０４は再生リスト中の再生経路数を示す情報である。例えば、“ＬＩＮＫ／ＲＯＯＴ：２”は二つの再生経路があることを示している。
【００４１】
ユーザはこの様な一覧画面を表示した状態で操作キー１１１を操作し、所望の再生リストを一つ選択すると、ＣＰＵ１１０はディスクＤより指定された再生リストファイルを再生し、メモリ１１２に記憶する。そして、その内容を確認し、表示制御部１０８を制御して選択された再生リストの内容を示す画面を表示部１０９に表示する。
【００４２】
例えば、図３において複数の再生経路を持つ“運動会００３．ｐｌｆ”の再生リストが選択された場合、図４のようにその内容を示す画面４００が表示部１０９に表示される。
【００４３】
図４において、４０１は再生リストファイルにて指定されているファイルの情報を示しており、ファイル名や再生時間、ファイルの属性、サブタイトル、コメント、作成者、エフェクト情報などを表示することができる。なお、図４ではファイル名のみを表示している。また、４０２は最終ファイルを示しており、他のファイルと識別可能な表示形態にしている。そして、各ファイル間の再生順序を矢印にて表示している。
【００４４】
例えば、図４の例では、“動画０１→静止画０１→動画１０”という再生経路、“動画０１→動画０２→動画１０”という再生経路、“動画０１→静止画０３→静止画０７→動画０１”という再生経路、及び、動画０１→動画０７→動画０８→動画１０”という再生経路の四つの再生経路を持つ。
【００４５】
また、このとき、再生リストにて多数のファイルが指定されており、全てのファイルを一度に表示しきれない場合、あるいは、表示部１０９に全てのファイルを表示すると見ずらくなる場合、例えば、図５あるいは図６の如く表示することも可能である。
【００４６】
図５及び図６は“運動会００６．ｐｌｆ”という再生リストファイルの内容を示している。この再生リストファイルは多数の情報ファイルを指定しており、指定されている全てのファイルの内容を表示部１０９に表示しようとするとサイズを縮小しなければならず、見ずらくなるので、全画面を約四分割して表示する。
【００４７】
図５はこの四分割画面の一つ５００を示す図であり、５０２、５０３はそれぞれ表示位置を示すスライダーバーである。また、５０３は再生リストファイルの全体の画面のうち、この表示画面５００の位置を示す情報である。
【００４８】
また、ユーザが全画面表示を指示した場合、図６のように再生リストファイルの全ての内容を表示部１０９に表示する。図６の表示画面６００では、図５の四分割画面５００が区別可能な状態で表示している。
【００４９】
次に、この様に複数の再生経路より一つの再生経路を選択する処理について説明する。
【００５０】
図４の如く再生リストの内容画面を表示している状態で操作キー１１１により経路選択画面表示の指示があると、ＣＰＵ１１０は表示制御部１０８を制御して図７に示す経路選択画面を表示部１０９に表示する。図７に示した様に、現在選択されている再生経路を太い線で表示しており、ユーザは操作キー１１１を操作することで、複数の再生経路の中から任意の再生経路を選択することができる。
【００５１】
なお、この様に選択された再生経路の情報を再生リストの付加情報として再生リストファイルに格納することも可能である。
【００５２】
この様に再生リストファイルの内容を確認した後、更に必要であれば再生経路の設定を行った後、ユーザにより再生開始の指示があると、ＣＰＵ１１０はメモリ１１２に記憶されている再生リストの内容に従いディスクＤより各ファイルを再生するようディスクＩ／Ｆ１０５及び画像信号処理部１０２を制御する。
【００５３】
図８は図３の“運動会００３．ｐｌｆ”という再生リストファイルに従い再生を行った際に表示部１０９に表示される画面の様子を示す図である。図８の表示画面では、例えば、動画０１というファイルの再生中、次に動画０４、動画０５及び静止画０４の三つのファイルが選択可能であり、その後、動画１０というファイルを再生するという情報を画面の下部に表示している。また、この再生リストでは複数の再生経路が設定されていることを示す情報８０１を表示している。
【００５４】
ここで、予めユーザにより再生経路が選択されていない場合、ＣＰＵ１１０は再生経路が分岐するタイミングにおいて、次の再生経路の選択を促す警告情報を表示部１０９に表示する。この場合、ユーザは操作キー１１１により表示画面の下部に表示された次の再生候補のファイルのうちの一つを選択することで次の再生経路を決定する。
【００５５】
もし現在再生している情報ファイルが終了するまでに次の再生経路が指示されない場合、その時点で再生動作を一時停止し、ユーザにより次のファイルが選択されるのを待つ。
【００５６】
この様に、予め再生経路を選択しない場合には再生経路の分岐点にてユーザが任意に次の再生ファイルを選択する構成となる。
【００５７】
前述の様に、再生リストに複数の再生経路が設定されている場合、ユーザが任意に再生経路を選択可能であるが、再生リストが複数存在する場合など、その都度ユーザが再生経路を設定することが煩わしい場合もある。そこで、本形態では所定の条件によって再生経路を自動的に選択する機能を設けた。
【００５８】
例えば、第１の選択条件としてユーザの操作履歴に基づいて再生経路を自動選択する機能を持つ。即ち、この場合、ＣＰＵ１１０は当該再生リストファイルに関して過去にユーザが選択した再生経路の履歴をメモリ１１２に蓄積しておき、再生リストファイルによる再生時においてはこの再生経路の履歴に基づいて自動的に再生経路を選択する。
【００５９】
また、第２の選択条件として再生リストにて指定されている情報ファイルの種類を用いることができる。例えば、再生リストにて指定されている情報ファイルのうち、動画のファイルのみを再生する構成や、あるいは、音声のみを含むファイルを選択して再生する構成などが考えられる。また、各ファイルに付加されている付加情報の種類により特定の種類のファイルのみを選択して再生することも可能である。
【００６０】
更に、特定の種類のファイルがもっとも多く含まれるような再生経路や、逆に、特定の種類のファイルがもっとも少ない再生経路を選択することなども可能である。また、いくつかの種類のファイルが所定の割合で含まれるような再生経路を選択することも可能となる。
【００６１】
例えば、ユーザが再生リストファイルに従う再生を行う場合にこの様な自動再生を行うことを設定することで、ユーザが再生経路を選択する手間がない。
【００６２】
さて、本形態の如きビデオカメラを用いたシステムの応用例として、ビデオカメラ１００と他の記録装置とを接続してダビングを行うことが考えられる。
【００６３】
このとき、再生リストに従って再生された情報データを記録装置に送信してダビングすることも可能となる。
【００６４】
その際、選択された再生リストに複数の再生経路が設定されていた場合、本形態によれば、図７のようにユーザが予め再生経路を選択した後ダビングを開始すれば、再生経路がすでに設定されているため、ダビング開始後ユーザはその場に大気する必要がない。
【００６５】
また、ユーザがうっかりして予め再生経路を選択せずにダビングを開始してしまった場合、ＣＰＵ１１０は前述のように所定の条件に従い再生経路を自動的に選択することで、やはりユーザがその場に待機していなくても、再生リストファイルによる自動再生処理が停止してしまうことがなく、良好なダビングを行うことが可能である。
【００６６】
ダビングを行う場合、図９に示す様に、図１のビデオカメラ１００と同様の構成を持つビデオカメラ１００’の外部Ｉ／Ｆをビデオカメラ１００の外部Ｉ／Ｆ１１３と接続し、ビデオカメラ１００により再生された画像データや音声データのストリームアナログ信号としてビデオカメラ１００’に送信して記録する。また、この際、ビデオカメラ１００と１００’との間で、記録開始コマンドなどの制御信号を授受する。なお、制御信号についてはＩＥＥＥ１３９４インターフェイスなどによりデジタルデータとして送受信する。
【００６７】
次に、この様なダビング処理も含めたビデオカメラ１００による再生処理を図１０のフローチャートを用いて説明する。
【００６８】
図１０は再生モード時におけるＣＰＵ１００による制御動作を示すフローチャートである。再生モードが設定されると、まず、ディスクＤより管理情報を再生し（ステップＳ１００１）、次に、ユーザにより再生リストによる再生が指示されたか否かを検出する（ステップＳ１００２）。ここで、再生リストによる再生が指示されていない場合、通常再生処理を行う（ステップＳ１０２１）。
【００６９】
また、再生リストによる再生が指示されていた場合、更にダビングモードが設定されたか否かを検出する（ステップＳ１００３）。ダビングモードが設定された場合、ディスクＤの中に再生禁止（コピー禁止）のファイルがあるか否かを判別し（ステップＳ１００４）、再生禁止ファイルが含まれていた場合その旨を表示部１０９に表示すると共に再生処理を終了する。また、再生禁止ファイルが存在しない場合、ダビングモードが設定された旨の情報を表示する（ステップＳ１００５）。
【００７０】
その後、図３の如く再生リストの一覧を表示し（ステップＳ１００６）、ユーザにより再生リストが選択されるのを待つ（ステップＳ１００７）。再生リストが選択されるとその内容を解析し（ステップＳ１００８）、再生を行う上で不具合があるかどうかを判定する（ステップＳ１００９）。ここで、ファイル情報の欠陥、ファイル内のストリームの欠陥、再生経路指示の欠陥など不具合がある場合、それらを可能な限り修復する。この修復作業によっても解決されない欠陥が存在する場合、ファイル自体の置き換えや再生不能なデータのスキップ、再生経路の切り替えなどの代替処理を行う。そして、その旨を表示部１０９に表示する（ステップＳ１０１０）。
【００７１】
この様な再生リストの解析後、図４に示した様に再生リストの構造を表示する。
【００７２】
次に、選択された再生リストに複数の再生経路があるかを検出し、再生経路が一つしかない場合にはそのままユーザの指示を待って再生リストに従う再生を開始する。
【００７３】
また、再生経路が複数設定されている場合、更にユーザによる手動の経路選択を検出し（ステップＳ１０１３）、手動により再生経路画選択された場合には選択された再生経路で再生を開始する（ステップＳ１０１７）。また、手動により再生経路が選択されない場合、更に、ダビングモードが設定されているか否かを検出し、ダビングモードが設定されていた場合には前述の様に複数の条件に従って再生経路を自動的に選択する（ステップＳ１０１６）。そして、ユーザによる再生開始（ダビング開始）の指示を待って再生を開始する（ステップＳ１０１７）。
【００７４】
また、ダビングモードが設定されていない場合、経路自動選択モードが設定されているか否かを判別し、自動選択モードが設定されていた場合には前述の様に複数の条件に従って再生経路を自動的に選択する（ステップＳ１０１６）。そして、ユーザによる再生開始の指示を待って再生を開始する（ステップＳ１０１７）。
【００７５】
このとき、ＣＰＵ１１０は再生中に不具合が発生するか常に監視しており、不具合が発生した場合できる限りこれを修復し、必要であれば再生経路を変更するなどの処置を施す。
【００７６】
また、経路自動選択モードも設定されていない場合、ユーザにより再生経路の分岐点にて手動で選択するよう設定し、再生を開始する。
【００７７】
その後、各再生リストに従う再生処理が終了すると（ステップＳ１０１８）、再生モードでの処理を終了する。
【００７８】
この様に、本形態においては、再生リストによる再生を行う際、ディスクに記録されている複数の再生リストについてその構造を解析して表示するので、ユーザが選択した再生リストの内容（再生手順）を容易に把握することができる。また、再生リストの一覧表示の際、複数の再生経路を持つ再生リストを識別できるよう表示しているので、ユーザは複数の再生経路を持つ再生リストを容易に認識することが可能となる。
【００７９】
また、複数の再生経路を持つ再生リストについて、再生を開始する前に予め再生経路を選択可能な構成にしたので、再生開始後、分岐点においてその都度再生処理が中断することがなく、快適な再生処理を実現できる。
【００８０】
また、複数の再生経路について、過去の操作履歴や指定されているファイルの種類など、所定の条件に従い自動的に再生経路を選択して再生することにより、ユーザが再生経路を選択しない場合であっても最適な再生経路にて再生リストに従う再生処理を実現できる。
【００８１】
また、再生リストに従って再生したデータをダビングする際、ユーザにより再生経路が設定されなかった場合には自動的に再生経路を選択するので、ユーザが再生経路の指示を忘れた場合であっても自動で最適な再生経路を選択してダビングを行うことができ、破綻してしまうことを防止することができる。
【００８２】
なお、前述の実施形態では、複数の再生経路を持つ再生リストが選択されているが、再生経路が手動選択されていない場合、図１０のステップＳ１０１６において自動的に再生経路を選択していたが、ダビングモードにおいてはユーザにより再生経路が選択されない限り再生リストに従う再生、及びダビング処理を禁止するようにしてもよい。
【００８３】
この場合、図１１のフローチャートに示す様に、ステップＳ１０１３において再生経路の手動選択がなされず、ステップＳ１０１４においてダビングモードが設定されていた場合、再生経路が設定されていないのでダビング不可である旨の情報を表示し、再生処理を停止する（ステップＳ１０２２）。他の処理は図１０と同様である。
【００８４】
この様に、ダビングモードにおいて、複数の再生経路を持つ再生リストが選択されている場合、ユーザが再生経路を選択せずにダビングを行うことを禁止したので、不用意にダビングを行うことを防止することができる。
【００８５】
なお、前述の実施形態では、光ディスク媒体に対して画像データを記録再生する装置に対して本発明を適用した場合について説明したが、これ以外にも、メモリカードなどの半導体メモリ媒体やその他音ランダムアクセス媒体に対して画像データなどの情報データを記録再生し、これを再生リストを用いて再生する装置に対しても本発明を同様に用いることができ、同様の効果をもつ。
【００８６】
【発明の効果】
以上説明した様に、本発明によれば、複数の再生経路を持つ再生リストの情報を表示するため、再生リストに従い画像や音声などの情報信号を再生する場合に、容易に再生手順を認識可能となる。
【００８７】
また、本願の他の発明によれば、再生リストが有する複数の再生経路を表示し、また、これら複数の再生経路より任意の再生経路を選択可能としたので、複数の再生経路が設定されている場合であっても最適な再生経路を選択可能となる。
【図面の簡単な説明】
【図１】本発明が適用される記録再生装置の構成を示す図である。
【図２】再生リストの様子を示す図である。
【図３】再生リストの選択画面を示す図である。
【図４】再生リストの再生経路の表示画面を示す図である。
【図５】再生リストの再生経路の表示画面を示す図である。
【図６】再生リストの再生経路の表示画面を示す図である。
【図７】再生経路の選択画面を示す図である。
【図８】再生リストに従う再生動作中の表示画面の様子を示す図である。
【図９】ダビング時の機器の接続状態を示す図である。
【図１０】再生動作を示すフローチャートである。
【図１１】再生動作を示すフローチャートである。
【図１】
2004030792.tif 000003
【図２】
2004030792.tif 000004
【図３】
2004030792.tif 000005
【図４】
2004030792.tif 000006
【図５】
2004030792.tif 000007
【図６】
2004030792.tif 000008
【図７】
2004030792.tif 000009
【図８】
2004030792.tif 000010
【図９】
2004030792.tif 000011
【図１０】
2004030792.tif 000012
【図１１】
2004030792.tif 000013